(57)【要約】【課題】湯水や高湿空気が電気ヒータと電気配線の接続部に付着するのを防止することができる防曇鏡を提供することである。【解決手段】  裏面１ａに電気ヒータ８を備えた防曇鏡１において、電気ヒータ８は発熱体２と配線７とを有しており、発熱体２は防曇鏡１の裏面１ａに貼付されている。発熱体２と配線７は接続部１５で接続されている。接続部１５とその近傍の配線７の周囲は、第１パッキン３で気密を保ち周囲と遮断されている。第１パッキン３の周囲には間隔を置いて第２パッキン４が配置されている。そして、第１パッキン３と第２パッキン４の間に防水性樹脂５を充填する。【選択図】図２
2012223455.tif 000002
【特許請求の範囲】
【請求項１】
鏡の裏面側に電気ヒータを備えた防曇鏡において、電気ヒータに設けられた電線取出口の周囲を囲む第１パッキンと、第１パッキンの外側に配置される第２パッキンとを設け、第２パッキンは、第１パッキンの少なくとも上方と両側方に第１パッキンから離間して配置されており、第１パッキンと第２パッキンの間に防水性樹脂を充填してなることを特徴とする防曇鏡。
【発明の詳細な説明】
【技術分野】
【０００１】
本発明は、浴室や洗面所等に設置される防曇鏡に関するものである。
【背景技術】
【０００２】
浴室や洗面所等の湿気が多い場所に設置される鏡は、湿気のために曇り易い。そして曇り対策として、特許文献１に開示されているような曇り防止用ヒータを具えた鏡が提案されている。
【先行技術文献】
【特許文献】
【０００３】
【特許文献１】実開平６−８６６２７号公報
【発明の概要】
【発明が解決しようとする課題】
【０００４】
特許文献１に開示されている鏡では、鏡の裏面に発熱体を取り付け、鏡面が曇った際には発熱体に通電し、鏡面を加熱することによって曇りを解消している。よって、発熱体に電力を供給するために電気配線が設けられている。
【０００５】
浴室や洗面所では湯水が使用され、何らかの拍子に鏡の裏面側に湯水が入り込むことがあり得る。例えば、湯水のしぶきが飛散したり、湯水が壁にかかった際に、湯水が鏡の裏面側に入り込むことがある。その結果、鏡の裏面を伝って流下する湯水が、発熱体と電気配線の接続部に至って故障の原因になる恐れがある。また、浴室のように特に湿度が高い場所では、湯水が飛散しなくても、鏡の裏面側に湿気が入り込むと、発熱体と電気配線の接続部に付着して様々な故障の原因になり得る。
【０００６】
そこで本発明は、湯水や高湿空気が電気ヒータと電気配線の接続部に付着するのを防止することができる防曇鏡を提供することを目的としている。
【課題を解決するための手段】
【０００７】
上記課題を解決するための請求項１に記載の発明は、鏡の裏面側に電気ヒータを備えた防曇鏡において、電気ヒータに設けられた電線取出口の周囲を囲む第１パッキンと、第１パッキンの外側に配置される第２パッキンとを設け、第２パッキンは、第１パッキンの少なくとも上方と両側方に第１パッキンから離間して配置されており、第１パッキンと第２パッキンの間に防水性樹脂を充填してなることを特徴とする防曇鏡である。
【０００８】
請求項１の発明では、電気ヒータの電線取出口の周囲に第１パッキンを設け、第１パッキンの外側に第２パッキンを配置し、さらに第１パッキンと第２パッキンの間に防水性樹脂が充填されているので、鏡の裏面又は電気ヒータに沿って水滴が落下してきても、水滴は第２パッキンに衝突して電線取出口に達することができない。その結果、電線取出口に水滴が付着するのを阻止することができ、電線取出口の劣化を防止することができる。
【０００９】
また、第２パッキンは、第１パッキンの少なくとも上方と両側方に配置されるので、第２パッキンに衝突した水滴が第２パッキンを伝って側方へ移動しても、水滴は第１パッキンに近づくことができない。
【００１０】
さらに、防水性樹脂が第１パッキンと第２パッキンの間に充填されているので、水滴が第１パッキンと第２パッキンの間に浸入することを防止することができる。すなわち、電線取出口の近くに水滴が接近するのを良好に防止できる。
【００１１】
仮に、水滴が防水性樹脂を超えたとしても、電線取出口は第１パッキンによって気密が保たれているので、電線取出口は水滴から保護される。同様に、高湿の空気も第１パッキンによって遮断され、電線取出口は保護される。
【発明の効果】
【００１２】
本発明の防曇鏡によれば、水滴が電気ヒータの電線取出口に付着するのを良好に阻止することができる。よって、電気ヒータ及び電線取出口の劣化を防止することができる。
【図面の簡単な説明】
【００１３】
【図１】本発明による防曇鏡の裏面図である。
【図２】図１の防曇鏡のII−II断面図である。
【図３】図１とは別の本発明による防曇鏡の裏面図である。
【発明を実施するための形態】
【００１４】
以下では、本発明の防曇鏡の実施形態について、図面を参照しながら詳細に説明する。なお、以下の説明は、実施形態の理解を容易にするためのものであり、これによって、本発明が制限して理解されるべきではない。
【００１５】
図１に示すように防曇鏡１の裏面には電気ヒータ８が装着されている。電気ヒータ８は、発熱体２と配線７とを有している。発熱体２は、電力が供給されると発熱する部材であり、防曇鏡１の裏面に貼着されており、露出面には防水処理が施されている。ここで発熱体２は、防曇鏡１の裏面全面に設けられていても良い。配線７は、一端が図示しない電力供給源（商用電源）に接続され、他端は被覆材６で被覆されていて接続部１５（電線取出口）で発熱体２と接続されている。
【００１６】
発熱体２と配線７の接続部１５の周囲には、環状の第１パッキン３が設けてある。すなわち、発熱体２と第１パッキン３は接着等によって一体化されている。この第１パッキン３によって、接続部１５及びその近傍の配線７の周囲が外部と遮断され、気密が保たれている。また、第１パッキン３の外側には、第２パッキン４が設けてある。第２パッキン４は環状であり、内周部分に複数の凹部４ａが設けてある。
【００１７】
第１パッキン３と第２パッキン４は、発熱体２に対して同心状に接着等によって一体化されている。よって、第１パッキン３と第２パッキン４の間には、環状のくぼみが形成される。この環状のくぼみには、防水性を有する樹脂５（例えばシリコン樹脂）が充填される。その結果、発熱体２と配線７の接続部１５は、外側から順に第２パッキン４，防水性樹脂５，第１パッキン３によって３重に取り巻かれる。また、両パッキン３，４の間の隙間に防水性樹脂５が充填される際に、複数の凹部４ａが樹脂溜まりとして機能する。第１パッキン３と第２パッキン４の間隔は、例えば７〜９ｍｍ（特に８ｍｍが好ましい。）とし、防水性樹脂５が充填し易い寸法に設定する。
【００１８】
このような構成を有する防曇鏡１が、浴室等の室内１１の壁９に対して図示しない固定具によって固定される。壁９には段９ａが設けてあり、図２では壁９と防曇鏡１とを離間させて描写しているが、実際には防曇鏡１は壁９に対して接近しており、発熱体２が段９ａに収容された状態で防曇鏡１は壁９に固定されている。そして図２に示すように、配線７は壁９の孔１０を介して室外１２へ伸び、商用電源に接続される。この防曇鏡１は、図示しない電源スイッチのＯＮ・ＯＦＦにより、電力の投入と遮断とが可能になっている。
【００１９】
防曇鏡１の鏡面１ｂが曇ると、図示しない電源スイッチをＯＮ状態にする。その結果、発熱体２が発熱し、防曇鏡１の鏡面１ｂに熱が伝達され、曇りが解消される。
【００２０】
防曇鏡１の裏面１ａ側に湯水や高湿の空気が入り込むと、水分は電気ヒータ８にも付着する。仮に、上方から裏面１ａに沿って水滴１３が流下し、電気ヒータ８に達すると、水滴１３は第２パッキン４に達し、第２パッキン４の円筒状の外周側壁に沿って下方へ流れる。その結果、水滴１３は発熱体２と配線７の接続部１５に近づくことができない。換言すると、接続部１５は、水滴１３から保護される。
【００２１】
また、水滴が、仮に第２パッキン４を乗り越えた場合には、水滴は第１パッキン３と第２パッキン４の間に達する。しかし、この両パッキン３，４の間には防水性樹脂５が充填されているため、水滴は両パッキン３，４の間に入り込むことができず、防水性樹脂５又は第１パッキン３上を通過し、下方へ流れる。よって水滴は、接続部１５に近づくことができない。
【００２２】
室内１１の湿気が高い場合には、電気ヒータ８の周囲の湿度も高くなるが、接続部１５の周囲には第１パッキン３，防水性樹脂５，第２パッキン４が隙間なく配置されているので、接続部１５に対して高湿度の空気は遮断される。その結果、接続部１５の劣化が良好に阻止される。
【００２３】
次に、図３を参照しながら防曇鏡の別の形態を説明する。
【００２４】
図３に示すように防曇鏡２１は、裏面２１ａに電気ヒータ２８を備えている。電気ヒータ２８は、発熱体２２と配線２７とを有している。発熱体２２は、電力が供給されると発熱する部材であり、防曇鏡２１の裏面２１ａに貼着されており、露出面には防水処理が施されている。この発熱体２２の接続部２５（電線取出口）に被覆材２６を備えた配線２７が接続されている。発熱体２２には、配線２７を介して図示しない商用電源から電力が供給可能である。
【００２５】
接続部２５の周囲には第１パッキン２３が配置されている。第１パッキン２３は、接続部（図示せず）及び被覆材２６の周囲に密着しており、外形は四角形を呈している。この第１パッキン２３の周囲には第２パッキン２４が配置されている。第２パッキン２４は、略コの字形状を呈しており、コの字の開口部分が下方を向くように第１パッキン２３の周囲（上方，左右の側方）に配置されている。
【００２６】
そして、第１パッキン２３と第２パッキン２４の間には、コの字形の隙間が形成される。この隙間には防水性樹脂２５（例えばシリコン樹脂）が充填される。
【００２７】
図３に示す形態の防曇鏡２１も、図１の防曇鏡１と同様に、湯水や高湿空気が電気ヒータ２８と配線２７の接続部に付着するのを防止することができる
【符号の説明】
【００２８】
１    防曇鏡
１ａ  防曇鏡の裏面
２    電気ヒータの発熱体
３    第１パッキン
４    第２パッキン
５    防水性樹脂
６    被覆材
７    電気ヒータの配線
８    電気ヒータ
１５  接続部（電線取出口）
【図１】
2012223455.tif 000003
【図２】
2012223455.tif 000004
【図３】
2012223455.tif 000005